(57)【要約】【課題】重量を増大させることなく好適な重心位置を設定し、飛距離を増大させることができ、しかも、良好な打球感を得ることができるアイアンゴルフクラブヘッドを提供する。【解決手段】ホーゼル１２が一体に形成された金属材からなるヘッド本体部１４と、ヘッド本体部１４のトップ側に配設される軽量な樹脂部材１６とから構成され、ヘッド本体部１４のフェース部の背面には、ヘッド本体部１４のトウ側からソール側を介してヒール側に至る周縁部２０が後方に膨出して形成される。そして、周縁部２０によって囲繞されるフェース部の背面が凹部２２として形成される。【選択図】図３
2006122544.tif 000002
【特許請求の範囲】
【請求項１】
フェース部の背面に凹部を有し、前記凹部の周縁部を肉厚に形成してなるアイアンゴルフクラブヘッドにおいて、
前記周縁部のうち、少なくともトップ側の一部を樹脂部材で構成し、金属材からなるヘッド本体部に前記樹脂部材を接合することを特徴とするアイアンゴルフクラブヘッド。
【請求項２】
請求項１記載のアイアンゴルフクラブヘッドにおいて、
前記周縁部のソール側の後方に、前記ヘッド本体部を構成する前記金属材よりも比重が大きい金属材からなるバックウエイト部材を接合することを特徴とするアイアンゴルフクラブヘッド。
【請求項３】
請求項２記載のアイアンゴルフクラブヘッドにおいて、
前記周縁部を環状の前記樹脂部材で構成することを特徴とするアイアンゴルフクラブヘッド。
【請求項４】
請求項１〜３のいずれか１項に記載のアイアンゴルフクラブヘッドにおいて、
前記周縁部のソール側の部位と前記フェース部の背面との間にスリット部を形成し、前記スリット部に振動吸収材を配設することを特徴とするアイアンゴルフクラブヘッド。
【請求項５】
請求項１〜４のいずれか１項に記載のアイアンゴルフクラブヘッドにおいて、
前記ヘッド本体部に、前記ヘッド本体部を構成する前記金属材よりも抗張力の大きい金属材からなるフェース部材を接合することを特徴とするアイアンゴルフクラブヘッド。
【発明の詳細な説明】
【技術分野】
【０００１】
本発明は、フェース部の背面に凹部を有し、前記凹部の周縁部を肉厚に形成してなるアイアンゴルフクラブヘッドに関する。
【背景技術】
【０００２】
アイアンゴルフクラブヘッドとして、フェース部の背面に凹部（キャビティ）を有し、その周縁部を肉厚に形成してなるキャビティバック型のものが知られている。このキャビティバック型のアイアンゴルフクラブヘッドには、キャビティの周縁部への重量配分を多くすることにより、ヘッドの慣性モーメントを増大させ、安定した打球特性を得ることができる利点がある。また、キャビティバック型のアイアンクラブヘッドは、フェース部における打球領域の肉厚を薄くし、撓み易くすることによって、ヘッドの反発特性の向上を図ることができる。
【０００３】
ところが、このように構成されたキャビティバック型のアイアンゴルフクラブヘッドには、フェース部の打球領域の肉厚が薄いため、打球時の振動が大きくなって打球感が低下するという問題がある。そこで、打球時の振動を吸収して打球感を向上させるため、フェース部の背面に振動吸収材を固着したものがある（特許文献１、２参照）。また、フェース部の背面に繊維強化プラスチック材を添設したものもある（特許文献３参照）。さらに、フェース部の背面とキャビティの周縁部との間にスリット部を形成し、このスリット部に弾性体を充填することにより、キャビティの周縁部への好適な重量配分を確保するとともに、フェース部の過剰な振動を抑制し、且つ、好適な打球領域を拡大可能としたものがある（特許文献４参照）。
【０００４】
【特許文献１】特開平８−１６４２２９号公報
【特許文献２】特開平９−３２２９５２号公報
【特許文献３】特公平４−６５７０８号公報
【特許文献４】特開平１１−１０４２８３号公報
【発明の開示】
【発明が解決しようとする課題】
【０００５】
しかしながら、従来のキャビティバック型のアイアンゴルフクラブヘッドでは、ヘッドの上部であるトップ側に配分される重量が多く、ヘッドの重心位置を低く設定して打球時のボールの打ち出し角度を大きくすることに限界がある。従って、飛距離を増大させることが困難であるという欠点がある。
【０００６】
本発明は、重量を増大させることなく好適な重心位置を設定し、飛距離を増大させることができ、しかも、良好な打球感を得ることができるアイアンゴルフクラブヘッドを提供することを目的とする。
【課題を解決するための手段】
【０００７】
本発明は、フェース部の背面に凹部を有し、前記凹部の周縁部を肉厚に形成してなるアイアンゴルフクラブヘッドにおいて、
前記周縁部のうち、少なくともトップ側の一部を樹脂部材で構成し、金属材からなるヘッド本体部に前記樹脂部材を接合することを特徴とする。
【０００８】
この場合、凹部の周縁部の少なくともトップ側の一部が軽量な樹脂部材からなるため、ヘッドの重心位置を低く設定することができ、これによって打球時のボールの打ち出し角度を大きくして飛距離を増大させることができる。また、樹脂部材によりヘッド本体部の振動を好適に吸収し、良好な打球感を得ることができる。
【０００９】
樹脂部材を設けることで軽減される分の重量を、ヘッド本体部を構成する金属材よりも比重が大きい金属材からなるバックウエイト部材として凹部の周縁部のソール側の後方に配分することができる。これにより、ヘッドの重心位置が下部後方に設定されて安定したスイングが可能となる。なお、ヘッド本体部の周縁部に配設される樹脂部材を環状に形成し、環状の樹脂部材を介してバックウエイト部材を配設することができる。
【００１０】
また、周縁部のソール側の部位とフェース部の背面との間にスリット部を形成し、振動吸収材をスリット部に配設することにより、凹部を有するフェース部の振動を吸収して良好な打球感を得ることができるとともに、好適な打球領域を拡大させることができる。
【００１１】
さらに、ヘッド本体部を構成する金属材よりも抗張力の大きい金属材からなるフェース部材をヘッド本体部に接合してフェース部を構成することにより、十分な飛距離が得られるアイアンゴルフクラブヘッドとすることができる。
【発明の効果】
【００１２】
本発明のアイアンゴルフクラブヘッドによれば、ヘッドの重心位置を低くして飛距離を増大させることができるとともに、ヘッド本体部の振動を吸収して良好な打球感を得ることができる。
【発明を実施するための最良の形態】
【００１３】
図１〜図４は、第１実施形態に係るアイアンゴルフクラブヘッド１０を示す図であり、図１は分解斜視図、図２はフェース面側から見た正面図、図３は背面図、図４は図２におけるＩＶ−ＩＶ線断面図である。
【００１４】
アイアンゴルフクラブヘッド１０は、ホーゼル１２が一体に形成された金属材からなるヘッド本体部１４と、ヘッド本体部１４のトップ側に配設される樹脂部材１６とから基本的に構成される。
【００１５】
ヘッド本体部１４は、打球面を構成するフェース部１８を有し、フェース部１８の背面には、図３に示すように、ヘッド本体部１４のトウ側からソール側を介してヒール側に至る周縁部２０が後方に膨出して形成される。そして、周縁部２０によって囲繞されるフェース部１８の背面が凹部２２として形成される。ヘッド本体部１４のトップ側からトウの上部に至る部位には、図４に示すように、フェース部１８の上端部に沿って凸部２４が形成される。
【００１６】
ヘッド本体部１４のトップ側に配設される樹脂部材１６は、凸部２４に係合する溝部２６を有する。樹脂部材１６は、炭素繊維、ガラス繊維、アラミド繊維等の繊維で強化される樹脂材、具体的にはＢＭＣ（バルクモールドコンパウンド）から成形され、ヘッド本体部１４の凸部２４に溝部２６を介して係合し、接着により接合される。
【００１７】
アイアンゴルフクラブヘッド１０を以上のように構成した場合、ヘッド本体部１４のトップ側が軽量な樹脂部材１６からなるため、重心位置を低くすることができる。この結果、打球時のボールの打ち出し角度を大きくして飛距離を増大させることができる。また、樹脂部材１６を使用することでヘッド本体部１４が軽量化される分の重量をソール側の周縁部２０に配分すれば、重心位置を一層低くすることができる。さらに、樹脂部材１６によって軽量化される分の重量をソール側の周縁部２０の後方に配分することにより、重心位置を低く且つ後方に設定し、安定したスイングを行うことのできるアイアンゴルフクラブヘッド１０とすることができる。
【００１８】
また、アイアンゴルフクラブヘッド１０は、フェース部１８の背面に凹部２２が形成されているため、フェース部１８が撓み易く、反発特性を向上させて飛距離の増大に貢献することができる。この場合、フェース部１８の上部に接合されている樹脂部材１６がフェース部１８の振動を好適に吸収するため、フェース部１８の過剰な振動が抑制されて打球感の向上に寄与する効果も招来される。
【００１９】
なお、ヘッド本体部１４に対する樹脂部材１６の接合構造は、樹脂部材１６が容易に脱落しないものであれば、凸部２４と溝部２６との係合構造に限定されるものではない。また、繊維強化樹脂材と金属材との接合であるため、基本的には接着によるが、ねじ等の連結手段を併用してもよい。ねじ止めをする場合、軽量な樹脂製ねじを使用すれば、トップ側の重量が増大することがない。さらに、樹脂部材１６は、トップ側からトウの上部に至る形状となっているが、これに限定されるものではなく、周縁部２０のトップ側の少なくとも一部を構成するものであればよい。
【００２０】
ヘッド本体部１４は、ホーゼル１２及びフェース部１８を一体的に形成しているが、ホーゼル１２、フェース部１８及び周縁部２０を別体に形成し、これらの各部材を溶接、ロウ着け、接着、ねじ止め等により連結して構成することもできる。
【００２１】
図５〜図７は、第２実施形態に係るアイアンゴルフクラブヘッド３０を示す図であり、図５は分解斜視図、図６は背面図、図７は図６におけるＶＩＩ−ＶＩＩ線断面図である。
【００２２】
アイアンゴルフクラブヘッド３０は、ホーゼル３２が一体に形成された金属材からなるヘッド本体部３４と、ヘッド本体部３４に形成された開口部３５の周縁部３６に装着される金属材からなるフェース部材３８と、ヘッド本体部３４の周縁部３６の背面側に装着される環状の樹脂部材４０と、樹脂部材４０のソール側の後方に装着される金属材からなるバックウエイト部材４２とから基本的に構成される。
【００２３】
ヘッド本体部３４を構成する周縁部３６のソール側の背面には、中央部分に切り欠き部４４を有した壁部４６が形成されており、この壁部４６と周縁部３６との間には、樹脂材からなる振動吸収材４８（図７参照）が充填されるスリット部５０が形成される。
【００２４】
樹脂部材４０は、開口部５２を有し、ヘッド本体部３４の周縁部３６に形成された切り欠き部４４に対応する部位に膨出部５４が形成される。また、膨出部５４の両側には、バックウエイト部材４２を樹脂部材４０に連結するためのねじ部材５６ａ、５６ｂが螺合されるねじ孔５８ａ、５８ｂが形成される。
【００２５】
バックウエイト部材４２は、樹脂部材４０のねじ孔５８ａ、５８ｂに対応するねじ孔６０ａ、６０ｂを備える。
【００２６】
ヘッド本体部３４には、ステンレス鋼が使用され、ヘッド本体部３４の開口部３５の周縁部３６に溶接等によって接合されるフェース部材３８には、ステンレス鋼よりも抗張力の大きい合金鋼が使用される。また、バックウエイト部材４２には、ヘッド本体部３４の金属材よりも比重の大きい金属材、例えば、高比重のタングステン合金が使用される。樹脂部材４０は、ＢＭＣ材から成形される。振動吸収材４８には、樹脂材が使用される。この樹脂材としては、エラストマー材を使用することができる。エラストマー材又は樹脂材としては、ポリウレタン系、ポリエステル系、ポリアミド系、シリコーン系を例示することができる。
【００２７】
フェース部材３８は、ヘッド本体部３４の周縁部３６に正面側から溶接等によって接合される。樹脂部材４０は、ヘッド本体部３４の周縁部３６に背面側から嵌合、接着等によって接合される。この場合、樹脂部材４０の膨出部５４が周縁部３６の切り欠き部４４に係合することにより、フェース部材３８と壁部４６及び膨出部５４との間に一部が樹脂材からなるスリット部５０が形成される。このスリット部５０には、振動吸収材４８が充填される。さらに、樹脂部材４０のソール側の後方に対して、ねじ部材５６ａ、５６ｂを用いてバックウエイト部材４２が固定される。なお、バックウエイト部材４２は、樹脂部材４０に対して接着してもよい。
【００２８】
アイアンゴルフクラブヘッド３０を以上のように構成した場合、樹脂部材４０のソール側に装着されたバックウエイト部材４２により重心位置が低くなり、打球時のボールの打ち出し角度を大きくして飛距離を増大させることができる。なお、バックウエイト部材４２は、樹脂部材４０に対してねじ部材５６ａ、５６ｂにより着脱可能な状態で固定されており、交換することで重量を任意に調整することが可能である。また、ヘッド本体部３４の背面側に配設した樹脂部材４０と、スリット部５０に充填された振動吸収材４８とにより、フェース部材３８の過剰な振動を吸収して、良好な打球感を得ることができる。さらに、フェース部材３８の背面にスリット部５０を形成することにより、フェース部材３８における好適な打球領域が拡大される効果が得られる。
【００２９】
なお、第１実施形態のアイアンゴルフクラブヘッド１０において、周縁部２０の凹部２２側におけるソール側の部位にスリット部を形成し、第２実施形態のアイアンゴルフクラブヘッド３０の場合と同様に、振動吸収材を充填するようにしてもよい。
【実施例１】
【００３０】
第２実施形態のアイアンゴルフクラブヘッド３０の実施例として、５番アイアンのアイアンゴルフクラブヘッド３０を作製した。ヘッド本体部３４はステンレス鋼から形成し、フェース部材３８は高抗張力合金鋼から形成し、樹脂部材４０はＢＭＣ材から形成し、バックウエイト部材４２はタングステン合金から形成した。アイアンゴルフクラブヘッド３０の一部を軽量な樹脂部材４０により構成した分、バックウエイト部材４２の重量を増加させることができ、約７５ｇとすることができた。また、振動吸収材４８はシリコーン系樹脂材から形成した。この実施例のアイアンゴルフクラブヘッド３０は、ソール最下部からの重心高さが１７．２ｍｍ、フェース部材３８の正面から重心までの距離である重心深度が６．１ｍｍであり、環状の樹脂部材４０を備えていない通常のアイアンゴルフクラブヘッドに比して、低重心化、深重心化を達成することができた。
【図面の簡単な説明】
【００３１】
【図１】第１実施形態に係るアイアンゴルフクラブヘッドの分解斜視図である。
【図２】第１実施形態に係るアイアンゴルフクラブヘッドをフェース面側から見た正面図である。
【図３】第１実施形態に係るアイアンゴルフクラブヘッドの背面図である。
【図４】図２に示すアイアンゴルフクラブヘッド１０のＩＶ−ＩＶ線断面図である。
【図５】第２実施形態に係るアイアンゴルフクラブヘッドの分解斜視図である。
【図６】第２実施形態に係るアイアンゴルフクラブヘッドの背面図である。
【図７】図６に示すアイアンゴルフクラブヘッドのＶＩＩ−ＶＩＩ線断面図である。
【符号の説明】
【００３２】
１０、３０…アイアンゴルフクラブヘッド  １４、３４…ヘッド本体部
１６、４０…樹脂部材                    １８…フェース部
２０、３６…周縁部                      ２２…凹部
３８…フェース部材                      ４２…バックウエイト部材
４８…振動吸収材                        ５０…スリット部
５４…膨出部
【図１】
2006122544.tif 000003
【図２】
2006122544.tif 000004
【図３】
2006122544.tif 000005
【図４】
2006122544.tif 000006
【図５】
2006122544.tif 000007
【図６】
2006122544.tif 000008
【図７】
2006122544.tif 000009